(57)【要約】【課題】本願発明の目的は、片手での適用に好適な軽量かつ小型な止血帯を提供することである。【課題を解決するための手段】本願発明は、応急手当装置に関し、特に止血帯に関する。本願の一実施形態は、実質的に硬いベースの止血帯を含む、ハンドルが付与され、該ハンドルは、第一および第二端部を有し、第一および第二端部の間には溝穴が配置されている。実質的硬いベースの隣にはストラップが配置され、ハンドルの溝穴を縫うように通る。第一および第二足部を有する構造部材が、該該ベースの第一および第二端部にそれぞれ沿う第一および第二ポイントにおいて少なくとも該ベースに取り付けられ、該構造部材および前記ベースの少なくとも一部で該ストラップが挟まれるようになっている。
2013513440.tif 000002
【特許請求の範囲】
【請求項１】
第一および第二端部を有するベースと、
前記ベースの第一端部に取り付けてあり該第一端部から伸びている締め付けバンドと、
前記締め付けバンドと係合しているハンドルと、
多角形フレーム部材および前記フレーム部材と係合する自己締め付け部材を含む自己締め付けバックルであって、前記締め付けバンドの自由端部が前記自己締め付けバックルを縫うように通してある自己締めバックルと、
前記ベースの前記第一端部に取り付けてあり、前記フレーム部材と係合するように構成されているフック部材と、を含む止血帯。
【請求項２】
請求項１に記載の止血帯であって、前記自己締め付け部材は、前記多角形フレーム内でスライド可能に係合するように配置されたバーを含む止血帯。
【請求項３】
請求項２に記載の止血帯であって、前記自己締め付け部材は、前記多角形フレームとさねはぎ係合を形成する止血帯。
【請求項４】
請求項２に記載の止血帯であって、前記フック部材は、前記ベースと回動可能に取り付けてある止血帯。
【請求項５】
請求項４に記載の止血帯であって、前記フック部材は、前記フレーム部材と摩擦嵌合している止血帯。
【請求項６】
請求項４に記載の止血帯であって、前記フック部材は、複数の凸部を有する内部表面を含む止血帯。
【請求項７】
請求項４に記載の止血帯であって、前記多角形フレームは、長手方向寸法の開口部を有し、前記フック部材は、フック部材の長さが前記多角形フレームの開口部の長手方向寸法よりも短いフック部材の長さを有する止血帯。
【請求項８】
請求項７に記載の止血帯であって、前記フック部材の長さは、前記多角形フレームの前記開口部の長手方向寸法のおおよそ半分である止血帯。
【請求項９】
請求項７に記載の止血帯であって、前記フック部材と係合する前記多角形フレームの側面は、前記フック部材の長さよりわずかに長い止血帯。
【請求項１０】
請求項９に記載の止血帯であって、前記フック部材と係合する前記多角形フレームの側面は長方形の断面を有する止血帯。
【請求項１１】
請求項１に記載の止血帯であって、前記フック部材および前記自己締め付けバックルは、金属である止血帯。
【請求項１２】
第一および第二端部を有するベースと、
前記ベースの第一端部に取り付けてあり該第一端部から伸びている締め付けバンドと、
前記締め付けバンドと係合しているハンドルと、
多角形フレーム部材を含むバックルであって、前記締め付けバンドの自由端部が、該フレームを縫うように通してあるバックルと、
前記フレーム部材に対して前記締め付けバンドを締め付ける手段と、
前記ベースの第一端部に取り付けてあり、前記フレーム部材と係合するように構成されているフック部材と、を有する止血帯。
【請求項１３】
請求項１２に記載の止血帯であって、前記フック部材が前記多角形フレームに係合したときに音声アラームを付与する手段をさらに有する止血帯。
【請求項１４】
請求項１３に記載の止血帯であって、前記フック部材が前記フレーム部材に係合したときに前記フック部材が前記フレーム部材に対して回動するのを防ぐ手段をさらに有する止血帯。
【請求項１５】
止血帯のためのロック組立体であって、
多角形フレーム部材と、前記フレーム部材と係合する自己締め付け部材とを含む自己締め付けバックルであり、締め付けバンドが縫うように通る構成にされた自己締め付けバックルと、
前記多角形フレーム部材と係合するように構成されたくぼみを含む止血帯ベースと接続するようになっているフック部材と、を含む止血帯のためのロック組立体。
【請求項１６】
請求項１５に記載の止血帯であって、前記自己締め付け部材は、多角形フレーム内でスライド可能に係合するように配置されたバーを含む止血帯。
【請求項１７】
請求項１５に記載の止血帯であって、前記自己締め付け部材は、前記多角形フレーム内でスライド可能に係合し配置されたカフを含む止血帯。
【請求項１８】
請求項１５に記載の止血帯であって、前記自己締め付け部材は、前記多角形フレームとさねはぎ係合するように形成されている止血帯。
【請求項１９】
請求項１５に記載の止血帯であって、前記フック部材は、複数の凸部を有する内部表面を含む止血帯。
【請求項２０】
請求項１９に記載の止血帯であって、前記多角形フレームは、前記多角形フレームは、長手方向寸法の開口部を有し、前記フック部材は、フック部材の長さが前記多角形フレームの開口部の長手方向寸法よりも短いフック部材の長さを有する止血帯。
【請求項２１】
請求項２０に記載の止血帯であって、前記フック部材の長さは、前記多角形フレームの前記開口部の長手方向寸法のおおよそ半分である止血帯。
【請求項２２】
請求項２０に記載の止血帯であって、前記フック部材と係合する前記多角形フレームの側面は、前記フック部材の長さよりわずかに長い止血帯。
【請求項２３】
請求項２２に記載の止血帯であって、前記フック部材と係合する前記多角形フレームの側面は長方形の断面を有する止血帯。
【請求項２４】
請求項１５に記載の止血帯であって、前記フック部材および前記自己締め付けバックルは、金属である止血帯。
【発明の詳細な説明】
【技術分野】
【０００１】
本願は、２００９年１２月９日に提出された米国特許出願番号６１/２８５，１５７の優先権を主張し、全体を参照として本願に取り込んでいる。
本願発明は、応急手当に使用される医療装置に関する。特に、本願発明は、救急治療に使用される止血帯の向上に関する。
【背景技術】
【０００２】
負傷した人が一人でいる場合や医療扶助をすぐに受けられない場合などの緊急時において、出血は死に至る重大な要因である。このような状況において、血流を止める技術として止血帯を用いて負傷した腕や足などの出血を止めることはよく知られていることである。一般的に、負傷者が一人である緊急時の使用に関しては、負傷者は、彼もしくは彼女の腕もしくは足などに自分で止血帯を取り付けて、片手で血流を遮断できなければならない。典型的な止血帯は、体の一部の周囲に、例えば腕や足などに、きつく結ばれるもしくはバンドを巻きつけるものであり、これにより深刻な流血を止める、もしくは緊急時の制御不可能な出血を止めるものである。
【０００３】
近年では、片手で装着する複数の止血帯が可能になっている。これらの止血帯は、図１に示すように、硬いベース１５と係合しさらにハンドル２０を通りもしくは周りにかけられるストラップ１０を典型的には含む。止血帯を四肢の周りできつく縛るためには、ストラップ１０をバックル２５に通し、ハンドル２０をひねることにより、ストラップ１０を四肢に対して円周方向に締めることができる。これらの公知の止血帯の大きな欠点は、特異な状況下では、これらは挟まった四肢に対してすぐに用意できないということがある。このような止血帯を挟まった四肢に取り付けるには、ストラップ１０を手動でバックル２５から外さなければならず、さらに続いて四肢の周りに取り付けきつく締める前にバックル２５を再び取り付けなければならない。この作業には、高い集中力と正確な器用さが必要であり、これらは非常時において負傷している人もしくは高い緊張状態に置かれているファストレスポンダーには不可能である。加えて、該作業は、数秒の遅れでも致命的な量の失血を起こす場合において、止血帯の適用に時間がかかってしまう。
【０００４】
片手で適用する公知の止血帯の他の欠点としては、ストラップを該ストラップの上で数回強く引く必要があるバックルと係合している場合に、きつく締めるのが難しいという点がある。しばしば、負傷者は、自分で自分の四肢に止血帯を適用する必要がある。負傷者が、深刻な外傷を負い、意識がないかもしれずきつく締めるということをこなす忍耐力とスタミナを持ち合わせていないかもしれない。
【０００５】
軍関係者、司法関係者、およびファストレスポンダーによる止血帯の使用は、重さおよびサイズの制限がかかる。このような人達は、様々な緊急時用の道具を持っており、止血帯が重すぎたり、かさばりすぎると持っていきたがらない。したがって、ファストレスポンダーもしくは負傷者が片手ですばやく適用できるような小さく軽量な止血帯が求められている。
【発明の概要】
【０００６】
本願発明の目的は、片手での適用に好適な軽量かつ小型な止血帯を提供することである。
【０００７】
本願発明のさらなる目的は、挟まった四肢に簡単に適用できる片手で適用するのに好適な止血帯を提供することである。
【０００８】
本願発明の他の目的は、所望しない緩みを最小限にする片手で適用するのに好適な止血帯を提供することである。
【０００９】
本願発明のさらなる目的は、意図しない解除を最小限にする片手で適用するのに好適な止血帯を提供することである。
【００１０】
本願発明のさらなる目的は、止血帯が適切に設けられた時、音声アラームで知らせる片手で適用するのに好適な止血帯を提供することである。
【００１１】
本願発明の実施形態によれば、止血帯は、第一および第二端部を有するベースと、該ベースの該第一端部に取り付けられて、さらにそこから伸びている締め付けバンドと、該締め付けバンドと係合しているハンドルと、を有する。自己締め付けバックルは、多角形フレーム部材と、該フレーム部材と係合する自己締め付け部材と、を含み、該締め付けバンドの自由端部は、該自己締め付けバックルを縫うように通る。フック部材は、該ベースの該第一端部に結合しており、前記フレーム部材と係合するように構成されている。
【００１２】
本願発明の他の実施形態によれば、止血帯のためのロック組立体を有する。
【００１３】
他の実施形態によれば、ロッキングリングは、構造部材に結合している。
【００１４】
本願発明のさらなる実施形態によれば、該ハンドルの第一端部および第二端部の少なくとも一つは該ロッキングリングと係合するように構成されている。
【００１５】
本願発明のさらなる実施形態では、該ロッキングリングは、該ハンドルと機能的に関連しており、該ハンドルの第一端部および第二端部の少なくとも一つは、該ロッキングリングを係合するラッチ部を含んでいる。
【００１６】
本願発明のさらなる実施形態では、止血帯は、多角形フレーム部材と該フレーム部材と係合する自己締め付け部材を含む自己締め付けバックルを含み、自己締め付けバックルは、自己締め付けバックルを縫うように通る締め付けバンドを有するように構成されており、さらに止血帯ベースと接続するようになっているフック部材と、を含み、フック部材は、該多角形フレーム部材と係合するように構成されているくぼみを含んでいる。
【００１７】
ここで述べる“実質的”、“一般的”、“わずかに”などの程度に関する用語は、変動する特性の許容できるばらつきを示す相対的変動条件である。変動する絶対的数値もしくは特性に限定されるものではなく、むしろその反対の物理的もしくは機能的特性の操作、さらに好ましくはそのような物理的もしくは機能的特性に近づけるもしくは近似させるものである。
【００１８】
以下に示す実施形態は、当業者が本願発明を実施するのに充分に詳細に記載するものである。本願発明の範囲を逸脱しない範囲において、他の実施形態を使用してもよく、さらに公知の構造的および/または機能的に同等の構造的変更が加えられてもよい
【図面の簡単な説明】
【００１９】
上述のおよび他の本願発明の目的、利点および特徴は、添付の図面とともに理解される以下の記載によりさらに明確になるものである。
【図１】図１は、例示としての止血帯の平面図である。
【図２】図２は、本願発明に係る実施形態の止血帯の透視図である。
【図３】図３は、図２に示す止血帯のロック組立体を示す。
【図４】図４は、図３のフック部材とロック組立体のストライク界面の上面図である。
【発明を実施するための形態】
【００２０】
図２に示すように、本願発明に係る止血帯は、ベース１１５と係合する締め付けバンド１１０を含む。締め付けバンド１１０は、好ましくは幅が１インチから３インチの間であり、さらに好ましくは幅が１インチから２インチの間である。例示的実施形態においては、締め付けバンドの幅は約１．５インチである。
【００２１】
締め付けバンド１１０の第一端部は、固定接着されており、例えば接着ポイント１２０においてベース１１５に縫い付けられている。締め付けバンド１１０は、その後止血帯ハンドル１２５に通しおよび/または係合され、そして図２に示すベース１１５の第二端部と再び係合する。例えば、締め付けバンド１１０は、上部および下部ベース層１２５Ａおよび１２５Ｂの間に挟まれ、ベース１２５の第二端部と近接する。締め付けバンド１１０は、そしてベース１２５の第二端部から、締め付けバンド１１０が平均的な大人の四肢の周囲を周るのに必要な長さ分だけ少なくとも伸びる。いくつかの実施形態においては、止血帯ハンドル１２５は、ここに参照として組み込まれている米国特許番号７７７６０６４号に記載の方法でベース１１５に取り付けられていてもよい。
【００２２】
本願発明によると、本願発明に係る止血帯の例示的実施形態は、自己締め付けバックル１３５およびフック部材１４０を有するロック組立体１３０をさらに有する。いくつかの実施形態では、バックル１３５は、多角形フレーム部材１３７を含み、該多角形フレーム部材１３７は、多角形フレーム部材１３７と係合する自己締め付け部材１３９を有する。図３に示すように、自己締め付け部材１３９は、多角形フレーム部材１３７の開口部を横断するように伸び、そして多角形フレーム部材の相対する第一および第二端部に、さねはぎ（tongue and groove）係合を形成するカフ（cuff）もしくはバーなどの構造部材を有する。締め付けバンド１１０は、自己締め付け部材１３９の周りをループして、締め付けバンド１１０の自由端部を単純に引っ張ることにより、締め付けバンド１１０が自己締め付け部材１３９とフレーム部材１３７の間に挟まれるまで、自己締め付け部材１３９はフレーム部材１３７に沿って矢印Ａの方向にスライドする。
【００２３】
図示した実施形態において、フレーム部材１３７は、六角形である。しかしながら、フレーム部材１３７は、締め付けバンド１１０をフレーム部材１３７に挟むようにする自己締め付け部材であればいかなる多角形でもよい。
【００２４】
フック部材１４０は、回動可能にベース１１５の第一端部近くに取り付けられており、フレーム部材１３７と摩擦嵌合するように構成されている。図４に示すように、フック１４０は、内表面１４２を有するカフを有する。フック１４０は、使用者が意図的に外さない限りは、フレーム部材１３７と係合していることが望ましい。したがって、可能性としては考えられる意図しない解除を防ぐには、例えば、医療従事者、ファストレスポンダー、兵隊もしくはハイカーなどの器具に対してバウンドしたりして止血帯が外れてしまった場合などのために内表面１４２には複数の凸部１４４を有するストライク界面が付与されている。凸部１４４は、フレーム部材１３７をフック部材１４０にロックし、偶発的な解除を最小限に抑えている。さらには、凸部１４４には、例えばクリック音などの音声アラームがついており、使用者がフレーム１３７を再接続したときには、接続が確実に行われたことを使用者に知らせる。
【００２５】
本願発明の一観点に関し、フック部材１４０は、フレーム部材１３７の開口部の長手方向寸法Ｌ２よりも短い長さＬ１を有する。一実施形態では、Ｌ１＝１／２Ｌ２である。フレーム部材１３７の開口部の寸法は、フック部材の１４０の長さよりも大きいため、ストレス下にある人にとって、複雑な動的動作を最小限にし、さらにフック部材１４０をフレーム部材１３７に接続するのに必要な手と目の協調運動のレベルを下げることからフック部材１４０をフレーム部材１３７に接続するほうが楽である。これらは、明かりの少ない戦闘状況においてとくに重要な懸念事項である。さらには、フック部材１４０と係合するフレーム部材１３７の側は、長さＬ３を有し、これはほんの少しだけ、例えば数センチ以下、Ｌ１よりも長い。これにより、フック部材１４０のフレーム部材に対する所望しない関連する動作、スライドおよび／または回動などを最小限にしつつ、フック部材１４０をフレーム部材１３７に接続するのが簡単になる。
【００２６】
本願発明の一観点に関し、例えば、患者が動いている間に止血帯が不具合を起こすことによる起こりうる止血帯の緩みを最小限にすることが望ましい。したがって、ループ１５０は、穴１４８を通り、例えば縫い付けによりベース１１５としっかりと取り付けてあり、フック部材１４０をベース１１５と接続している。フレーム部材１３７は長方形の断面を有する。したがって、フレーム部材１３７がフック部材１４０の三日月状のくぼみに止めてある場合、患者の移動もしくは計画的抜去などの時に止血帯をずらしたりするのにともない、フック部材１４０はループ１５０の周りを回動するために傾き、フレーム部材１３７の周りを回動するのを抑制し、これにより締め付けバンド１１０の偶発的なゆるみを最小限に抑える。
【００２７】
本願発明を詳細な実施形態および代替例を使って図示および説明したが、本願発明の精神および範囲を逸脱することない範囲において種々の変更ができることを理解されたい。したがって、本願発明は、添付の請求の範囲およびそれらの均等物に従うほかは、いかなるようにも限定されないことを理解されたい。
【図１】
2013513440.tif 000003
【図２】
2013513440.tif 000004
【図３】
2013513440.tif 000005
【図４】
2013513440.tif 000006
【国際調査報告】
2013513440.tif 000007
2013513440.tif 000008